(57)【特許請求の範囲】
【請求項１】
耕耘作業をする耕耘体と、
この耕耘体の後方で整地作業をする整地体とを備え、
前記整地体は、
左右方向に長手方向を有する略板状に形成され、水平姿勢で整地作業をする整地本体板部と、
この整地本体板部の後端部に左右方向に沿って互いに間隔をおいて近接して並設され、前記整地本体板部の下面より下方に突出する複数の突出部とを有し、
前記各突出部は、後面視で逆略ハ字状をなす左右の傾斜側板と、これら左右の傾斜側板の下辺部相互を連結する連結板とにて構成されている
ことを特徴とする農作業機。
【請求項２】
整地体は、整地本体板部の後端部のうち隣り合う突出部間の部分に形成され、後方に向って開口する複数の切欠部を有する
ことを特徴とする請求項１記載の農作業機。
【請求項３】
各突出部の連結板は、前端側から後端側に向って下り傾斜する傾斜板部と、この傾斜板部の後端部に連設された水平板部とを有する
ことを特徴とする請求項１または２記載の農作業機。
【発明の詳細な説明】
【技術分野】
【０００１】
本発明は、耕耘体と整地体とを備える代掻き機等の農作業機に関するものである。
【背景技術】
【０００２】
従来、例えば下記の特許文献１に記載された農作業機が知られている。
【０００３】
この従来の農作業機は、耕耘作業をする耕耘体と、この耕耘体の後方で整地作業をする整地体とを備え、この整地体は、第１整地板と第２整地板とを有している。そして、第２整地板の後端部には上方に突出する中空の凸部が設けられ、この凸部は、前後方向に延びる第１側板部と、この第１側板部よりも第２整地板の中央部側に位置して前後方向に延びる第２側板部と、第１側板部および第２側板部の上端部間を接続する天板部とを有し、この天板部が第２側板部側が第１側板部側より高くなるように傾いている。
【特許文献１】特開２００７−２２２１３０号公報
【発明の開示】
【発明が解決しようとする課題】
【０００４】
しかしながら、上記従来の農作業機では、例えば強粘土等、砕土されにくい土質の場合には、整地体で整地作業をしても、圃場表面に土塊がそのまま残るおそれがある。
【０００５】
本発明は、このような点に鑑みなされたもので、例えば強粘土等、砕土されにくい土質の圃場であっても圃場表面に土塊がそのまま残るようなことがなく、圃場表面に所望の泥水層を効率的に形成できる農作業機を提供することを目的とする。
【課題を解決するための手段】
【０００６】
請求項１記載の農作業機は、耕耘作業をする耕耘体と、この耕耘体の後方で整地作業をする整地体とを備え、前記整地体は、左右方向に長手方向を有する略板状に形成され、水平姿勢で整地作業をする整地本体板部と、この整地本体板部の後端部に左右方向に沿って互いに間隔をおいて近接して並設され、前記整地本体板部の下面より下方に突出する複数の突出部とを有し、前記各突出部は、後面視で逆略ハ字状をなす左右の傾斜側板と、これら左右の傾斜側板の下辺部相互を連結する連結板とにて構成されているものである。
【０００７】
請求項２記載の農作業機は、請求項１記載の農作業機において、整地体は、整地本体板部の後端部のうち隣り合う突出部間の部分に形成され、後方に向って開口する複数の切欠部を有するものである。
【０００８】
請求項３記載の農作業機は、請求項１または２記載の農作業機において、各突出部の連結板は、前端側から後端側に向って下り傾斜する傾斜板部と、この傾斜板部の後端部に連設された水平板部とを有するものである。
【発明の効果】
【０００９】
請求項１に係る発明によれば、複数の突出部によって圃場表面の土塊を効果的につぶすことができるため、例えば強粘土等、砕土されにくい土質の圃場であっても圃場表面に土塊がそのまま残るようなことがなく、圃場表面に所望の泥水層を効率的に形成できる。
【００１０】
請求項２に係る発明によれば、複数の切欠部から泥水を流出させることにより、圃場表面に所望の泥水層をより一層効率的に形成できる。
【発明を実施するための最良の形態】
【００１１】
本発明の農作業機の一実施の形態を図面を参照して説明する。
【００１２】
図１において、１は農作業機で、この農作業機１は、走行車であるトラクタ（図示せず）の後部に連結して使用する代掻き機である。そして、農作業機１は、トラクタの後部に連結された状態で、トラクタの走行により水田等の圃場を前方（図中、矢印方向）に移動しながら代掻き作業をする。
【００１３】
農作業機１は、トラクタの後部の３点リンク部（作業機昇降装置）に連結される機体２を備えている。機体２の左右両側に位置するチェーンケース部３およびブラケット部４間には、図示しない入力軸に接続された動力伝達手段から動力を受けて所定方向に回転しながら耕耘作業をする耕耘ロータリ等の耕耘体（図示せず）が回転可能に設けられている。耕耘体は、左右方向長手状の耕耘軸およびこの耕耘軸に放射状に設けられた複数の耕耘爪を有している。
【００１４】
また、機体２は耕耘体の上方部を覆う上に凸の略円弧板状の耕耘カバー部５を有し、この耕耘カバー部５の後端部には、耕耘体の後方で圃場表面に追従するように上下方向に回動しながら整地作業つまり圃場表面を均平にならす作業をする整地体７が弾性板であるゴム板８を介して上下方向に回動可能に設けられている。
【００１５】
整地体７は、耕耘カバー部５の後端部に前端部がゴム板８を介して回動可能に連結され前端側を中心として上下方向に回動可能な略板状の第１整地板（均平板）11と、第１整地板11の後端部に前端部が左右方向の軸（図示せず）を中心として回動可能に連結された略板状の第２整地板（レーキ）12とを有している。
【００１６】
また、第２整地板12の左右方向両端部には、略板状の延長整地板（延長レーキ）13が前後方向の軸14を中心として作業位置および非作業位置間で回動可能に設けられている。第２整地板12と延長整地板13との間には、延長整地板13を作業位置および非作業位置に位置決め固定する弾性体である引張コイルばね15が設けられている。そして、延長整地板13は、作業時には第２整地板12の側方の作業位置に位置決め固定された状態で整地作業をし、非作業時には邪魔にならないよう第２整地板12の上方の非作業位置に位置決め固定される。
【００１７】
ここで、整地体７の第２整地板12は、図２ないし図４にも示すように、左右方向に長手方向を有する略矩形板状に形成され作業時には圃場表面に沿った水平姿勢で整地作業をする整地本体板部21と、この整地本体板部21の後端部に左右方向に沿って互いに等間隔をおいて近接して並設され整地本体板部21の下面より下方に突出する略山形状の複数の突出部22とを有している。すなわち例えば整地本体板部21の後端部には、平面視で前側に頂角を有し後側に底辺を有する略三角形状をなす下方突出状の複数の突出部22が整地本体板部21の左右方向一端部から左右方向他端部にわたって等間隔に並設されており、各突出部22は例えば絞り加工によって整地本体板部21に一体に形成されている。
【００１８】
そして、各突出部22は、後面視で逆略ハ字状をなす左右の傾斜側板24と、これら左右の傾斜側板24の下辺部相互を連結する連結板25とにて構成されている。連結板25は、図４に示されるように、前端側から後端側に向って下り傾斜する傾斜板部26と、この傾斜板部26の後端部に連設された水平板部27とを有している。
【００１９】
次に、上記農作業機１の作用等を説明する。
【００２０】
農作業機１を使用して代掻き作業をする場合、左右の延長整地板13を軸14を中心として作業位置まで回動させて作業状態に位置決め固定する。
【００２１】
この状態で、農作業機１全体をトラクタの走行により前方に移動させると、耕耘体にて耕耘作業が行われ、この耕耘体の後方では第１整地板11、第２整地板12および延長整地板13にて整地作業が行われる。この際、例えば図４に示すような圃場表面の土塊Ａは、第２整地板12の突出部22にてつぶされる。
【００２２】
このように農作業機１によれば、整地体７の第２整地板12に下方に向って突出状に形成された複数の突出部22によって圃場表面の土塊Ａを効果的につぶすことができるため、例えば強粘土等、砕土されにくい土質の圃場であっても圃場表面に土塊Ａがそのまま残るようなことがなく、圃場表面に所望の泥水層を効率的に形成でき、よって例えば従来複数回行程を繰り返す必要があった圃場でも行程を減らすことが可能となり、作業効率の向上、燃費軽減等を図ることができる。
【００２３】
また、圃場表面の泥水は、複数の突出部22によって形成された溝に沿って流れて拡散するので、圃場表面全体が均一で土塊が表面に出ない理想的な状態となり、所望の泥水層を確実に形成できる。
【００２４】
なお、農作業機１は、例えば図５に示すように、中央作業部31と、この中央作業部31の左右方向端部に回動可能に設けられ回動により展開作業状態および折畳非作業状態に切り換えられる左右の延長作業部32とを備えた折り畳み式の構成でもよい。
【００２５】
この折り畳み式の農作業機１の各作業部31，32は、図１等に示すものと同様、所定方向に回転しながら耕耘作業をする耕耘体30の上方部を覆う耕耘カバー部５の後端部に設けられた整地体７をそれぞれ備え、各整地体７が第１整地板11と第２整地板12とを有している。なお、延長整地板13は、左右の延長作業部32の外端部に回動可能に設けられている。
【００２６】
そして、各整地体７の第２整地板12は、図６ないし図８にも示すように、図１等に示すものと同様、左右方向に長手方向を有する略矩形板状に形成され作業時には圃場表面に沿った水平姿勢で整地作業をする整地本体板部21と、この整地本体板部21の後端部に左右方向に沿って互いに等間隔をおいて近接して並ぶように一体に設けられ整地本体板部21の下面より下方に突出する略山形状の複数の突出部22とを有し、各突出部22が傾斜側板24と連結板25とにて構成され、連結板25が傾斜板部26と水平板部27とを有している。
【００２７】
また、各整地体７の第２整地板12は、図１等に示すものとは異なり、整地本体板部21の後端部のうち隣り合う突出部22間の部分に後端から前方に向って切り欠き形成され後方に向って開口する複数の切欠部（エジェクタ）35を有している。各切欠部35は、図６に示されるように、平面視で前側に頂角を有し後側に底辺を有する略三角形状に形成されている。なお、切欠部35の前後方向長さ寸法は、例えば突出部22の前後方向長さ寸法の略半分である。
【００２８】
そして、このような農作業機１によれば、例えば強粘土等、砕土されにくい土質の圃場であっても圃場表面に土塊Ａがそのまま残るようなことがなく圃場表面に所望の泥水層を効率的に形成できるとともに、複数の切欠部35から圃場表面の泥水を流出させることにより圃場表面に所望の泥水層をより一層効率的に形成できる。
【００２９】
また、農作業機１は、例えば図１に示す第２整地板12の整地本体板部21に切欠部35を形成した構成でもよく、また切欠部35を有しない第２整地板12を図５に示すものに適用した構成でもよい。
【００３０】
さらに、例えば延長整地板13が整地本体板部21および突出部22を有する構成や、延長整地板13が整地本体板部21、突出部22および切欠部35を有する構成等でもよい。
【図面の簡単な説明】
【００３１】
【図１】本発明の一実施の形態に係る農作業機の平面図である。
【図２】同上農作業機の第２整地板の後面図である。
【図３】同上第２整地板の後方視斜視図である。
【図４】同上第２整地板の断面図である。
【図５】本発明の他の実施の形態に係る農作業機の後面図である。
【図６】同上農作業機の第２整地板の平面図である。
【図７】同上第２整地板の背面図である。
【図８】同上第２整地板の後方視斜視図である。
【符号の説明】
【００３２】
１    農作業機
７    整地体
21    整地本体板部
22    突出部
24 傾斜側板
25 連結板
26 傾斜板部
27 水平板部
30    耕耘体
35    切欠部
【図１】
0005204495.tif 000002
【図２】
0005204495.tif 000003
【図３】
0005204495.tif 000004
【図４】
0005204495.tif 000005
【図５】
0005204495.tif 000006
【図６】
0005204495.tif 000007
【図７】
0005204495.tif 000008
【図８】
0005204495.tif 000009